(57)【要約】【課題】  簡易な構成でありながら、流動体の漏洩を防止することができる流動体吐出ポンプを提供することを目的とする。【解決手段】  流動体貯留容器は、流入弁機構４と流出弁機構５と蛇腹部材６と漏洩防止部材１０１とを有する流動体吐出ポンプ１と、ノズルヘッド２と、流動体貯留部３とから構成される。弁部材５２０と漏洩防止部材１０１とは、連結部材１０２により連結され、流動体流通補助具８として一体的に構成される。流動体流通補助具８は、連結部材１０２と、連結部材１０２の上部に配置され流出弁機構５を構成する弁部材５２０と、連結部材１０２の下端部に配置され流入弁機構４を通過した流動体を蛇腹部材６が縮小姿勢から拡張姿勢に変形するときにのみ流動体の流通を可能にする漏洩防止部材１０１と、弁部材５２０と漏洩防止部材１０１との間に配置されるリブ１０３とを備える。【選択図】        図２
2005218946.tif 000002
【特許請求の範囲】
【請求項１】
流動体貯留部の上方に配設されたノズルヘッドを押圧することにより、前記流動体貯留内部内に貯留された流動体を前記ノズルヘッドから吐出させるための流動体吐出ポンプにおいて、
流入口と流出口とを有し、前記ノズルヘッドにより押圧されることにより、その内部に比較的大量の流動体を収納する拡張姿勢から、その内部に比較的少量の流動体を収納する縮小姿勢に変形する樹脂製の蛇腹部材と、
前記蛇腹部材の流入口に連結された流入弁機構と、
前記蛇腹部材の流出口に連結された流出弁機構と、
前記蛇腹部材の内部であって、前記流入弁機構と前記流出弁機構との間に配置され、前記蛇腹部材が縮小姿勢から拡張姿勢に変形するときにのみ流動体の流通を可能にする漏洩防止部材と、
を備えることを特徴とする流動体吐出ポンプ。
【請求項２】
請求項１に記載の流動体吐出ポンプにおいて、
前期蛇腹部材は、それ自身の弾性力により、前記縮小姿勢から前記拡張姿勢へと復元する流動体吐出ポンプ。
【請求項３】
請求項１または請求項２に記載の流動体吐出ポンプにおいて、
前記流出弁機構と前記漏洩防止部材とを、前記蛇腹部材の拡張および縮小に伴って前記輸入弁機構に対して相対的に移動可能となるように連結する連結部材をさらに備える流動体吐出ポンプ。
【請求項４】
請求項３に記載の流動体吐出ポンプにおいて、
前記流入弁機構と前記流出弁機構との間に前記連結部材の移動を案内する案内部材をさらに備える流動体吐出ポンプ。
【請求項５】
請求項４に記載の流動体吐出ポンプにおいて、
前記流入弁機構と前記案内部材とは、一体的に結合される流動体吐出ポンプ。
【請求項６】
請求項４または請求項５に記載の流動体吐出ポンプにおいて、
前記連結部材は、前記案内部材の形状に対応する複数のリブを備える流動体吐出ポンプ。
【請求項７】
請求項１乃至請求項６のいずれかに記載の流動体吐出ポンプにおいて、
前記流入弁機構は、
流動体流入用の開口部が形成された弁座部材と、
環状の支持部と、前記弁座部材の開口部と対応する形状を有する弁部と、前記支持部と前記弁部とを連結する複数の連結部と、からなる弁部材と、
から構成される流動体吐出ポンプ。
【請求項８】
請求項７に記載の流動体吐出ポンプにおいて、
前記流入弁機構における弁座部材は、その底部に円形の開口部が形成された略筒状の形状を有し、
前記流入弁機構における弁部材は、前記流入弁機構における弁座部材の内部に配置される環状の支持部と、前記円形の開口部と対応する形状を有する弁部と、前記支持部と前記弁部とを連結する可撓性のある複数の連結部とからなる流動体吐出ポンプ。
【請求項９】
請求項１乃至請求項８のいずれかに記載の流動体吐出ポンプにおいて、
前記流出弁機構は、管状の弁座部材と、前記弁座部材の内壁に対応する形状を有する可撓性のある弁部材とから構成される流動体吐出ポンプ。
【発明の詳細な説明】
【技術分野】
【０００１】
この発明は、流動体貯留部の上方に配設されたノズルヘッドを押圧することによって、前記流動体貯留部内に貯留された流体を前記ノズルヘッドから吐出させるための流動体吐出ポンプに関する。
【背景技術】
【０００２】
このような流動体吐出ポンプとしては、たとえば特許文献１に記載されるように、流動体を吐出するためのノズルヘッドと、流動体を貯留する流動体貯留部と、この流動体貯留部の上方に配設されたシリンダと、ノズルヘッドを押圧することによりシリンダ内を往復移動可能なピストンと、流動体貯留部に貯留された流動体をピストンの上昇動作に伴ってシリンダ内に流入させるための流入弁機構と、シリンダ内に流入した流動体をピストンの下降動作に伴ってノズルヘッドに流出させるための流出弁機構とを備えたものが使用されてきた。
【０００３】
ただし、このような従来の流動体吐出ポンプにおいては、ピストンがシリンダ内をスムースに往復移動可能とする必要があることから、ピストンの外周面とシリンダの内周面とを高精度に加工する必要があり、その製造コストが高価となるという問題がある。
【０００４】
このため、本出願人によりなされた特許出願（特願２００２−２１４６２１）の明細書に記載されるように、蛇腹状の形状を有し、その内部に比較的大量の流動体を収納する拡張姿勢と、その内部に比較的少量の流動体を収納する縮小姿勢との間で変形可能な樹脂製の蛇腹部材と、当該蛇腹部材の流入口に連結された流入弁機構と、蛇腹部材の流出口に連結された流出弁機構とを備える流動体吐出ポンプが提案されている。この特許文献１に記載される流動体吐出ポンプによれば、ピストン等を使用した場合に比べ、その製造コストを安価にすることができる。
【特許文献１】特開２００２−０６６４０１
【発明の開示】
【発明が解決しようとする課題】
【０００５】
この特願２００２−２１４６２１に記載される流動体吐出ポンプは、蛇腹部材が縮小姿勢から拡張姿勢に変形するときに生じる流入弁機構に対する蛇腹部材内部と蛇腹部材外部との間の圧力差によって、流動体貯留部に貯留される流動体が流入弁機構を通過して蛇腹部材の内部へ流入する構成となっている。このため、流動体貯留部に対して大きな負荷がかかる場合や、流動体貯留部および流動体吐出ポンプの天地を逆様にした場合には、蛇腹部材内部に流動体が流入する。この流動体の蛇腹部材内部への流入が進むと、流入した流動体により、流出弁機構に対する蛇腹部材内部圧力が蛇腹部材外部の圧力よりも大きくなる。この結果、流出弁機構から流動体吐出ポンプの外部へ流動体が漏洩するという問題が生じる。
【０００６】
この発明は、以上の問題を解決するためになされたものであり、簡易な構成でありながら、流動体の漏洩を防止することができる流動体吐出ポンプを提供することを目的とする。
【課題を解決するための手段】
【０００７】
請求項１に記載の発明は、流動体貯留部の上方に配設されたノズルヘッドを押圧することにより、前記流動体貯留内部内に貯留された流動体を前記ノズルヘッドから吐出させるための流動体吐出ポンプにおいて、流入口と流出口とを有し、前記ノズルヘッドにより押圧されることにより、その内部に比較的大量の流動体を収納する拡張姿勢から、その内部に比較的少量の流動体を収納する縮小姿勢に変形する樹脂製の蛇腹部材と、前記蛇腹部材の流入口に連結された流入弁機構と、前記蛇腹部材の流出口に連結された流出弁機構と、前記蛇腹部材の内部であって、前記流入弁機構と前記流出弁機構との間に配置され、前記蛇腹部材が縮小姿勢から拡張姿勢に変形するときにのみ流動体の流通を可能にする漏洩防止部材とを備えることを特徴とする。
【０００８】
請求項２に記載の発明は、請求項１に記載の流動体吐出ポンプにおいて、前期蛇腹部材は、それ自身の弾性力により、前記縮小姿勢から前記拡張姿勢へと復元する。
【０００９】
請求項３に記載の発明は、請求項１または請求項２に記載の流動体吐出ポンプにおいて、前記流出弁機構と前記漏洩防止部材とを、前記蛇腹部材の拡張および縮小に伴って前記流入弁機構に対して相対的に移動可能となるように連結する連結部材をさらに備える。
【００１０】
請求項４に記載の発明は、請求項３に記載の流動体吐出ポンプにおいて、前記流入弁機構と前記流出弁機構との間に前記連結部材の移動を案内する案内部材をさらに備える。
【００１１】
請求項５に記載の発明は、請求項４に記載の流動体吐出ポンプにおいて、前記流入弁機構と前記案内部材とは、一体的に結合される。
【００１２】
請求項６に記載の発明は、請求項４または請求項５に記載の流動体吐出ポンプにおいて、前記連結部材は、前記案内部材の形状に対応する複数のリブを備える。
【００１３】
請求項７に記載の発明は、請求項１乃至請求項６のいずれかに記載の流動体吐出ポンプにおいて、前記流入弁機構は、流動体流入用の開口部が形成された弁座部材と、環状の支持部と、前記弁座部材の開口部と対応する形状を有する弁部と、前記支持部と前記弁部とを連結する複数の連結部とからなる弁部材とから構成される。
【００１４】
請求項８に記載の発明は、請求項７に記載の流動体吐出ポンプにおいて、前記流入弁機構における弁座部材は、その底部に円形の開口部が形成された略筒状の形状を有し、前記流入弁機構における弁部材は、前記流入弁機構における弁座部材の内部に配置される環状の支持部と、前記円形の開口部と対応する形状を有する弁部と、前記支持部と前記弁部とを連結する可撓性のある複数の連結部とからなる。
【００１５】
請求項９に記載の発明は、請求項１乃至請求項８のいずれかに記載の流動体吐出ポンプにおいて、前記流出弁機構は、管状の弁座部材と、前記弁座部材の内壁に対応する形状を有する可撓性のある弁部材とから構成される。
【発明の効果】
【００１６】
請求項１に記載の発明によれば、流入口と流出口とを有し、ノズルヘッドにより押圧されることにより、その内部に比較的大量の流動体を収納する拡張姿勢から、その内部に比較的少量の流動体を収納する縮小姿勢に変形する樹脂製の蛇腹部材と、蛇腹部材の流入口に連結された流入弁機構と、蛇腹部材の流出口に連結された流出弁機構と、蛇腹部材の内部であって、流入弁機構と流出弁機構との間に配置され、蛇腹部材が縮小姿勢から拡張姿勢に変形するときにのみ流動体の流通を可能にする漏洩防止部材とを備えることから、簡易な構成でありながら、流動体の漏洩を防止することが可能となる。
【００１７】
請求項２に記載の発明によれば、蛇腹部材は、それ自身の弾性力により、前記縮小姿勢から前記拡張姿勢へと復元することから、流動体吐出ポンプの流動体を吐出させるための取り扱い動作を容易にすることが可能となる。
【００１８】
請求項３に記載の発明によれば、流出弁機構と漏洩防止部材とを、蛇腹部材の拡張および縮小に伴って流入弁機構に対して相対的に移動可能となるように連結する連結部材を備えることから、流動体吐出ポンプをより簡易な構成にすることが可能となる。
【００１９】
請求項４に記載の発明によれば、流入弁機構と流出弁機構との間に連結部材の移動を案内する案内部材を備えることから、蛇腹部材を使用した場合においても、漏洩防止部材の移動が安定し、流動体の漏洩をより防止することが可能となる。
【００２０】
請求項５に記載の発明によれば、流入弁機構と案内部材とは、一体的に結合されることから、流動体吐出ポンプをより簡易な構成にすることが可能となる。
【００２１】
請求項６に記載の発明によれば、連結部材は、案内部材の形状に対応する複数のリブを備えることから、漏洩防止部材の移動をより安定させるとともに、漏洩防止部材と流出弁機構との間の流動体の流れをスムースにすることが可能となる。
【００２２】
請求項７および請求項８に記載の発明によれば、流入弁機構は、流動体流入用の開口部が形成された弁座部材と、環状の支持部と、弁座部材の開口部と対応する形状を有する弁部と、支持部と弁部とを連結する複数の連結部とからなる弁部材とから構成されることから、簡易な構成でありながら流動体の逆流を確実に防止することができ、また、当該流入弁機構における流動体の流入側と流出側との圧力差に応じて通過する流動体の流量を任意に変更することが可能となる。
【００２３】
請求項９に記載の発明によれば、流出弁機構は、管状の弁座部材と、弁座部材の内壁に対応する形状を有する可撓性のある弁部材とから構成されることから、簡易な構成でありながら流動体の逆流を確実に防止することができ、また、当該流出弁機構における流動体の流入側と流出側との圧力差に応じて通過する流動体の流量を任意に変更することが可能となる。
【発明を実施するための最良の形態】
【００２４】
以下、この発明の第１実施形態を図面に基づいて説明する。
【００２５】
図１は、この発明の第１実施形態に係る流動体吐出ポンプ１を適用した流動体貯留容器の縦断面図である。また、図２乃至図４は、その要部を示す拡大図である。
【００２６】
なお、これらの図のうち、図１は流動体吐出ポンプ１に応力を付与することなく放置した状態を、図２はノズルヘッド２における押圧部１１を押圧し、蛇腹部材６が拡張姿勢から縮小姿勢になりつつある状態を、図３はノズルヘッド２における押圧部１１の押圧を解除し、蛇腹部材６が縮小姿勢から拡張姿勢になりつつある状態を、図４は蛇腹部材が初期の拡張姿勢に戻った状態を示している。
【００２７】
この流動体貯留容器は、美容の分野で使用されるヘアージェルやクレンジングジェル等の一般にジェルと呼称されるゲル（ｇｅｌ）、または、栄養クリームやマッサージクリーム等のクリーム状物、あるいは、化粧水等の液体などを貯留するための化粧品用の容器として使用されるものである。なお、この流動体貯留容器を、一般の薬品や溶剤あるいは食品等の容器として使用してもよい。
【００２８】
この明細書においては、高粘度の液体や半流動体あるいはゾルがジェリー状に固化したゲルやクリーム状物等と通常の液体とを含めて液体と呼称する。ただし、この発明は、上述した液体を対象としたポンプに限定されるものではなく、気体を含む流動体全体を対象とした流動体吐出ポンプに適用しうるものである。
【００２９】
この流動体貯留容器は、流入弁機構４と流出弁機構５と蛇腹部材６と漏洩防止部材１０１とを有する流動体吐出ポンプ１と、押圧部１１と流動体吐出部１２とを有するノズルヘッド２と、シリンダ１５とピストン１６とを有しその内部に流動体を貯留する流動体貯留部３とから構成される。
【００３０】
ここで、ノズルヘッド２は、押圧部１１と、流動体を吐出するための吐出部１２と、蛇腹部材６と結合するための第１結合部１３と、流出弁機構５と結合するための第２結合部１４とを備えている。
【００３１】
また、流動体貯留部３は、円筒形のシリンダ１５と、シリンダ１５内を上下方向に移動するピストン１６と、複数の通気孔１７が穿設された底蓋１８と、底蓋１８に内接しピストン１６がシリンダ１５内における下限に位置するときに当該ピストン１６を支持する支持部材１９とを有している。
【００３２】
この流動体貯留容器においては、ノズルヘッド２における押圧部１１を押圧して上下方向に往復移動させることにより、流動体吐出ポンプ１の作用で、流動体貯留部３内に貯留された流動体が、ノズルヘッド２における吐出部１２から吐出される。そして、流動体貯留部３内に貯留される流動体の減少に伴って、ピストン１６はシリンダ１５内をノズルヘッド２方向に移動する。
【００３３】
なお、この明細書においては、図１乃至図４における上下方向を流動体貯留容器における上下方向と規定する。すなわち、この発明の第１実施形態に係る流動体貯留容器においては、図１に示すノズルヘッド２側を上方向とし、ピストン１６側を下方向とする。
【００３４】
次に、流動体吐出ポンプ１の構成について説明する。図５は、流動体吐出ポンプ１における蛇腹部材６を示す説明図である。
【００３５】
蛇腹部材６は、所定の弾性力を有する樹脂を蛇腹状に成型してなる蛇腹部６０１と、流入弁機構４およびシリンダ１５と結合するために蛇腹部６０１の下端に形成される結合部６０２とを有する。また、蛇腹部６０１の上端は、後に詳細に説明する流出弁機構５における弁座部材５１０に結合される。なお、この蛇腹部材６０１と流出弁機構５における弁座部材５１０とは、一体的に構成されてもよい。これらの部材を一体化することにより、組み立て負担を軽減するとともに、製造コストを削減することが可能となる。
【００３６】
蛇腹部６０１は、例えば、ブロー成型または射出成型により形成される。この蛇腹部材６は、図１および図４に示すような、その内部に比較的大量の流動体を収納する拡張姿勢と、図２および図３に示すような、その内部に比較的少量の流動体を収納する縮小姿勢との間で変形可能となっている。
【００３７】
次に、流入弁機構４の構成について説明する。図６は、流動体吐出ポンプ１における流入弁機構４を構成する弁座部材４１０を示す説明図である。また、図７は、流動体吐出ポンプ１における流入弁機構４を構成する弁部材４２０を示す説明図である。なお、図６（ａ）は弁座部材４１０の平面、図６（ｂ）は弁座部材４１０の側断面を示し、図７（ａ）は弁部材４２０の側面、図７（ｂ）は弁部材４２０の側断面、図７（ｃ）は底面を示している。
【００３８】
この流入弁機構４は、流動体貯留部３から蛇腹部材６内への流動体の通過を許容するとともに、蛇腹部材６から流動体貯留部３への流動体の逆流を防止するためのものである。
【００３９】
弁座部材４１０は、図６に示すように、その底部に円形の開口部４１２が形成された略筒状の弁座部４１１と、後に詳細に説明する連結部材１０２（図８乃至図１０参照）の移動を案内する管状の案内部４１３とを有する。また、この弁座部材４１０には、弁部材４２０と係合するための第１係合部４１４と、蛇腹部材６と係合するための第２係合部４１５と、シリンダ１５と係合するための第３係合部とが設けられる。
【００４０】
図７に示すように、弁部材４２０は、弁座部材４１０の内部に配置される環状の支持部４２１と、弁座部材４１０の開口部４１２と対応する形状を有する弁部４２２と、支持部４２１と弁部４２２とを連結する可撓性のある４個の連結部４２３と、支持部４２１を補強するための補強部４２５とを有する。支持部４２１の外周面には、弁座部材４１０の第１係合部４１４と係合するための係合部４２６が設けられる。また、支持部４２１の内側には、後に詳細に説明する漏洩防止部材１０１の移動を案内するための案内部４２７が設けられる。さらに、この案内部４２７の弁部４２２側には、複数の切欠部４２８が形成される。４個の連結部４２３は、各々、一対の屈曲部４２４を有する。この弁部材４２０においては、４個の連結部４２３の可撓性により、弁部４１２が、当該弁部４１２が弁座部材４１０における開口部４１２を閉鎖する閉鎖位置と開口部４１２を開放する開放位置との間で移動可能に構成されている。
【００４１】
流入弁機構４は、弁部材４２０が弁座部材４１０の内部に挿入され、第１係合部４１４と係合部４２６とが嵌合することにより弁座部材４１０に対して固定されることにより構成される。なお、これらの弁座部材４１０および弁部材４２０は、たとえば、ポリエチレンやポリプロピレン等の樹脂、シリコンゴム等の合成ゴム、あるいはこれらの混合物等を使用した材料により構成される。
【００４２】
このような構成を有する流入弁機構４において、図３に示すように、蛇腹部材６の内部が減圧された場合には、弁部材４２０における弁部４２２が弁座部材４１０における開口部４１２から離隔して開口部４１２を開放する開放位置に移動する。これにより、流動体貯留部３に貯留された流動体が開口部４１２を通過する。一方、蛇腹部材６の内部が減圧されていない場合には、４個の連結部４２３の可撓性により、弁部材４２０における弁部４２２が弁座部材４１０における開口部４１２を閉鎖する閉鎖位置に移動する。
【００４３】
この流入弁機構４においては、弁部材４２０における支持部４２１と弁部４２２とは４個の連結部４２３により連結されている。このため、弁部４２２に生じる不適切な傾きの発生を防止することが可能となる。なお、弁部４２２に生じる不適切な傾きの発生を有効に防止するためには、連結部４２２は３個以上とすることが好ましく、また、それらを均等に配置することがより好ましい。
【００４４】
また、この流入弁機構４においては、連結部４２３は補強部４２５により囲まれている。このため、弁部４２２の閉鎖位置から開放位置に移動する際に、弁部４２２に不適切な傾きが発生した場合には、連結部４２３が補強部４２５と当接することとなる。したがって、弁部４２２がそれ以上に傾斜することはない。
【００４５】
さらに、この流入弁機構４においては、支持部４２１と弁部４２２とを連結する４個の連結部４２３は、各々、一対の屈曲部４２４を有している。このため、各連結部４２３が適当な弾性を持つこととなり、弁部４２２が閉鎖位置と開放位置との間をスムースに往復移動することが可能となる。なお、この連結部４２３の厚みは、１ｍｍ以下とすることが好ましく、０．３ｍｍ乃至０．５ｍｍとすることがより好ましい。
【００４６】
以上のような流入弁機構４の構成により、簡易な構成でありながら、流動体の逆流を確実に防止することができ、また、当該流入弁機構４における流動体の流入側と流出側との圧力差に応じて通過する流動体の流量を任意に変更することが可能となる。
【００４７】
次に、流出弁機構５および漏洩防止部材１０１の構成について説明する。図８は流出弁機構５における弁部材５２０と漏洩防止部材１０１とを有する流動体流通補助具８を示す斜視図、図９はその側面図、図１０はその平面、側断面、底面をそれぞれ示す説明図である。
【００４８】
この発明に係る流動体吐出ポンプ１における流出弁機構５の弁部材５２０と漏洩防止部材１０１とは、連結部材１０２により連結され、流動体流通補助具８として一体的に構成される。これにより、流出弁機構５と漏洩防止部材１０１とが、蛇腹部材６の拡張および縮小に伴って流入弁機構４に対して相対的に移動可能となる。このため、流動体吐出ポンプ１をより簡易な構成にすることが可能となる。
【００４９】
流動体流通補助具８は、その上端部にノズルヘッド２と係合するための係合部１０４が形成された連結部材１０２と、連結部材１０２の上部に配置され流出弁機構５を構成する弁部材５２０と、連結部材１０２の下端部に配置され流入弁機構４を通過した流動体を蛇腹部材６が縮小姿勢から拡張姿勢に変形するときにのみ流動体の流通を可能にする漏洩防止部材１０１と、弁部材５２０と漏洩防止部材１０１との間に配置される１２個のリブ１０３と、を備える。なお、この流動体流通補助具８は、内部に中空部１０５が形成されている。これは、成型時に歪が発生することを防止するための肉ぬすみとしての役割を果たすものである。
【００５０】
漏洩防止部材１０１は、流入弁機構４における弁部材４２０の案内部４２７と対応した形状を有する。この漏洩防止部材１０１は、硬質の材料を使用して構成することが好ましい。ただし、流動体の漏洩を防止するため、案内部４２７を密接しながら移動する必要があるため、若干の弾性力を有する材料を使用して構成することがより好ましい。
【００５１】
このような漏洩防止部材１０１において、ノズルヘッド２における押圧部１１が押圧されて流動体流通補助具８が流入弁機構４に近接する方向に移動すると、図２に示すように、案内部４２７に案内されて、切欠部４２８と対向して流入弁機構４を通過した流動体を通過可能にする開放位置に移動する。一方、ノズルヘッド２における押圧部１１への押圧が解除されて流動体流通補助具８が流入弁機構４と離隔する方向に移動すると、図４に示すように。案内部４２７に案内されて、切欠部４２８と対向しない閉鎖位置に移動する。
【００５２】
リブ１０３は、流入弁機構４における弁座部材４１０の管状の案内部４１３の内壁に対応する形状を有する。そして、隣接するリブ１０３は、流動体がスムースに通過可能となるように互いに平行に配置される。また、流動体流出補助具８は、複数のリブ１０３を有していることから、弁部材５２０または漏洩防止部材１０１に生じる不適切な傾きの発生を防止することが可能となる。なお、弁部材５２０または漏洩防止部材１０１に生じる不適切な傾きの発生を有効に防止するためには、リブ１０３は３個以上とすることが好ましく、また、それらを均等に配置することがより好ましい。
【００５３】
流出弁機構５は、図２乃至図４に示すように、図５に示す蛇腹部材６と結合する管状の弁座部材５１０と、弁座部材５１０の内壁５１１に対応する形状を有する可撓性のある弁部材５２０とから構成される。この弁部材５２０は、たとえば、ポリエチレンやポリプロピレン等の樹脂、シリコンゴム等の合成ゴム、あるいはこれらの混合物などを使用した材料により構成される。
【００５４】
この流出弁機構５において、蛇腹部材６の内部が加圧された場合には、弁部材５２０における接触部５２１が弁座部材５１０における内壁５１１から離隔した開放位置に移動する。これにより、蛇腹部材６の内部に貯留された流動体が管状の弁座部材５１０の内部を通過する。一方、蛇腹部材６の内部が加圧されていない場合には、弁部材５２０の可撓性により、弁部材５２０における接触部５２１が弁座部材５１０における内壁５１１と当接する閉鎖位置に移動する。
【００５５】
以上のような構成を有する流動体貯留容器においては、まず、ノズルヘッド２における押圧部１１が押圧されることにより、蛇腹部材６が縮小姿勢に変形し、蛇腹部材６内部に収納可能な流動体の体積が減少する。これにより、蛇腹部材６の内部が加圧され、流出弁機構５が開放される。そして、ノズルヘッド２の吐出部１２から流動体が吐出する。このとき、弁座部材４２０における切欠部４２８から、弁座部材４２０と流動体流通防止部材１０４の漏洩防止部材１０１との間に仕切られる空間の体積が減少する。このため、弁座部材４２０の切欠部４２８から蛇腹部材６内へ流動体が流入する。
【００５６】
その後、ノズルヘッド２の押圧部１１への押圧が解除されると、蛇腹部材６の弾性力により、蛇腹部材６が拡張姿勢に変形する。この変形により、蛇腹部材６内部に収納可能な流動体の体積が増加する。これにより、蛇腹部材６の内部が減圧され、流入弁機構４が開放される。流入弁機構４が開放されると、流動体貯留部３内に貯留される流動体が流入弁機構４を通過して、流動体吐出ポンプ１内に流入する。この流動体の流動体吐出ポンプ１への流入により、流動体貯留部３内に貯留される流動体が減少する。このため、ピストン６が貯留される流動体の体積に合わせて上昇する。これにより、流動体貯留部３内における流入弁機構４の周辺には、常に流動体が存在する。
【００５７】
さらに、蛇腹部材６の変形が進み、初期状態に戻ると、漏洩防止部材１０１と案内部４２７とが密接する。これにより、弁座部材４２０と流動体流通防止部材１０４の漏洩防止部材１０１との間に仕切られる空間に収納された流動体は、漏洩防止部材１０１を通過して蛇腹部材６内に流入することはない。
【００５８】
次に、この発明の第２実施形態を図面に基づいて説明する。
【００５９】
図１１は、この発明の第２実施形態に係る流動体吐出ポンプ１００を適用した流動体貯留容器の縦断面図である。また、図１２乃至図１４は、その要部を示す拡大図である。なお、第１実施形態と同一の部材については、同一の符号を付して詳細な説明を省略する。
【００６０】
これらの図のうち、図１１は流動体吐出ポンプ１に応力を付与することなく放置した状態を、図１２はノズルヘッド２における押圧部１１を押圧し、蛇腹部材６が拡張姿勢から縮小姿勢になりつつある状態を、図１３はノズルヘッド２における押圧部１１の押圧を解除し、蛇腹部材６が縮小姿勢から拡張姿勢になりつつある状態を、図１４は蛇腹部材が初期の拡張姿勢に戻った状態を示している。
【００６１】
第１実施形態における流動体貯留容器は、流入弁機構４と流出弁機構５と蛇腹部材６と漏洩防止部材１０１とを有する流動体吐出ポンプ１と、押圧部１１と流動体吐出部１２とを有するノズルヘッド２と、シリンダ１５とピストン１６とを有しその内部に流動体を貯留する流動体貯留部３により構成されていたが、第２実施形態における流動体貯留容器は、流入弁機構４００と流出弁機構５と蛇腹部材６と漏洩防止部材１０１とを有する流動体吐出ポンプ１００と、押圧部１１と流動体吐出部１２とを有するノズルヘッド２と、流動体貯留タンク２０からなる流動体貯留部３００と、流動体貯留タンク２０に貯留される流動体を流入弁機構４における開口部４３２（図１５参照）に導くための流入管２１により構成される。
【００６２】
第２実施形態における流動体貯留容器は、第１実施形態における流動体貯留容器のように、シリンダ１５およびピストン１６等により、流動体貯留部３（３００）内部の体積を変化させることができない。このため、流動体貯留部３００から外部へ流出した流動体の体積と同量の体積分の流動体（たとえば、空気）を外部から取り込む必要がある。
【００６３】
そこで、第２実施形態においては、流入弁機構４００に、当該流入弁機構４００における弁座部材４３０に外部から空気を取り込むための空気流入機構４４０が設けられる。
【００６４】
図１５はこの発明の第２実施形態に係る流入弁機構４００を構成する弁座部材４３０を示す説明図であり、図１６は空気流入機構４４０を構成する第２弁部材４５０を示す説明図である。
【００６５】
なお、これらの図のうち、図１５（ａ）は弁座部材４３０の平面、図１５（ｂ）はその側断面を示しており、図１６（ａ）は第２弁部材４５０の平面、図１６（ｂ）はその側断面、図１６（ｃ）はその底面を示している。
【００６６】
弁座部材４３０は、図１５に示すように、その底部に円形の開口部４３２が形成された略筒状の弁座部４３１と、連結部材１０２（図８乃至図１０参照）の移動を案内する管状の案内部４３３とを有する。また、この弁座部材４３０には、弁部材４２０（図７参照）と係合するための第１係合部４３４と、蛇腹部材６と係合するための第２係合部４３５と、流動体貯留タンク２０と係合するための第３係合部４３６とが設けられる。さらに、弁座部材４３０は、第１係合部４３４の外側であって第３係合部４３６の内側に互いに対向するように位置する２個の空気流入用の孔部４４１が形成され、各々の孔部４４１内に後に詳細に説明する第２弁部材４５０（図１６参照）を支持するための支持部４４２を備える。なお、この支持部４４２には、３筋の空気流入用の溝４４３が形成されている。
【００６７】
第２弁部材４５０は、図１６に示すように、弁座部材４３０における孔部４４１の内壁に対応する形状を有する弁部４５１と、弁座部材４３０における支持部４４２と結合する結合部４５２と、弁部４５１と結合部４５２との間を連結する連結部４５３と、を備える。
【００６８】
空気流入機構４４０は、弁座部材４３０における支持部４４２と弁部材４５０における結合部４５２とが結合することにより構成される。
【００６９】
この空気流入機構４４０においては、流動体貯留部３００内部に貯留される流動体が流入弁機構４００を通過して蛇腹部材６内部に流入したときに、流動体貯留タンク２０内が減圧された場合には、弁部４５１（図１６参照）が孔部４４１（図１５参照）の内壁と離隔する開放位置に移動する。これにより、流動体貯留容器の外部の空気が流動体貯留タンク２０内部に流入する。一方、流動体貯留タンク２０内が減圧されない場合には、弁部４５１が孔部４４１の内壁と当接する位置に移動する。これにより、流動体貯留容器の外部の空気が流動体貯留タンク２０の内部に流入することを防止する。
【００７０】
以上のような構成を有する第２実施形態に係る流動体貯留容器においては、まず、ノズルヘッド２における押圧部１１が押圧されることにより、蛇腹部材６が縮小姿勢に変形し、蛇腹部材６内部に収納可能な流動体の体積が減少する。これにより、蛇腹部材６の内部が加圧され、流出弁機構５が開放される。そして、ノズルヘッド２の吐出部１２から流動体が吐出する。このとき、弁座部材４２０における切欠部４２８から、弁座部材４２０と流動体流通防止部材１０４の漏洩防止部材１０１との間に仕切られる空間の体積が減少する。このため、弁座部材４２０の切欠部４２８から蛇腹部材６内へ流動体が流入する。
【００７１】
その後、ノズルヘッド２の押圧部１１への押圧が解除されると、蛇腹部材６の弾性力により、蛇腹部材６が拡張姿勢に変形する。この変形により、蛇腹部材６内部に収納可能な流動体の体積が増加する。これにより、蛇腹部材６の内部が減圧され、流入弁機構４が開放される。流入弁機構４００が開放されると、流動体貯留部３００内に貯留される流動体が流入弁機構４００を通過して、流動体吐出ポンプ１内に流入する。この流動体の流動体吐出ポンプ１への流入により、流動体貯留部３内に貯留される流動体が減少し、流動体貯留部３内部が減圧される。このため、空気流入機構４４０が開放され、流動体貯留部３００外部から内部へ空気が取り込まれる。これにより、流動体貯留部３００内の圧力が流動体貯留部３００外部の圧力とが一定に保持され、流動体貯留部３００内の圧力変化により流動体貯留タンク２０や流入管２１に対して無理な力が付与されることがない。
【００７２】
さらに、蛇腹部材６の変形が進み、初期状態に戻ると、漏洩防止部材１０１と案内部４２７とが密接する。これにより、弁座部材４２０と流動体流通防止部材１０４の漏洩防止部材１０１との間に仕切られる空間に収納された流動体は、漏洩防止部材１０１を通過して蛇腹部材６内に流入することはない。
【図面の簡単な説明】
【００７３】
【図１】この発明の第１実施形態に係る流動体吐出ポンプ１を適用した流動体貯留容器の縦断面図である。
【図２】この発明の第１実施形態に係る流動体吐出ポンプ１を適用した流動体貯留容器の要部を示す拡大図である。
【図３】この発明の第１実施形態に係る流動体吐出ポンプ１を適用した流動体貯留容器の要部を示す拡大図である。
【図４】この発明の第１実施形態に係る流動体吐出ポンプ１を適用した流動体貯留容器の要部を示す拡大図である。
【図５】流動体吐出ポンプ１における蛇腹部材６を示す説明図である。
【図６】流動体吐出ポンプ１における流入弁機構４を構成する弁座部材４１０を示す説明図である。
【図７】流動体吐出ポンプ１における流入弁機構４を構成する弁部材４２０を示す説明図である。
【図８】流出弁機構５における弁部材５２０と漏洩防止部材１０１とを有する流動体流通補助具８を示す斜視図である。
【図９】流出弁機構５における弁部材５２０と漏洩防止部材１０１とを有する流動体流通補助具８を示す側面図である。
【図１０】流出弁機構５における弁部材５２０と漏洩防止部材１０１とを有する流動体流通補助具８を示す説明図である。
【図１１】この発明の第２実施形態に係る流動体吐出ポンプ１００を適用した流動体貯留容器の縦断面図である。
【図１２】この発明の第２実施形態に係る流動体吐出ポンプ１００を適用した流動体貯留容器の要部を示す拡大図である。
【図１３】この発明の第２実施形態に係る流動体吐出ポンプ１００を適用した流動体貯留容器の要部を示す拡大図である。
【図１４】この発明の第２実施形態に係る流動体吐出ポンプ１００を適用した流動体貯留容器の要部を示す拡大図である。
【図１５】この発明の第２実施形態に係る流入弁機構４００を構成する弁座部材４３０を示す説明図である。
【図１６】空気流入機構４４０を構成する第２弁部材４５０を示す説明図である。
【符号の説明】
【００７４】
１      流動体吐出ポンプ
２      ノズルヘッド
３      流動体貯留部
４      流入弁機構
５      流出弁機構
６      蛇腹部材
８      流動体流通補助具
１１    押圧部
１２    流動体吐出部
１３    第１結合部
１４    第２結合部
１５    シリンダ
１６    ピストン
１７    通気孔
１８    底蓋
１９    支持部材
２０    流動体貯留タンク
２１    流入管
１００  流動体吐出ポンプ
１０１  漏洩防止部材
１０２  連結部材
１０３  リブ
１０４  係合部
１０５  中空部
３００  流動体貯留部
４００  流入弁機構
４１０  弁座部材
４１１  弁座部
４１２  開口部
４１３  案内部
４１４  第１係合部
４１５  第２係合部
４１６  第３係合部
４２０  弁部材
４２１  支持部
４２２  弁部
４２３  連結部
４２４  屈曲部
４２５  補強部
４２６  係合部
４２７  案内部
４２８  切欠部
４３０  弁座部材
４３１  弁座部
４３２  開口部
４３３  案内部
４３４  第１係合部
４３５  第２係合部
４３６  第３係合部
４４０  空気流入機構
４４１  孔部
４４２  支持部
４４３  溝部
４５０  第２弁部材
４５１  弁部
４５２  結合部
４５３  連結部
５０１  弁座部材
５０２  弁部材
６０１  蛇腹部
６０２  結合部
【図１】
2005218946.tif 000003
【図２】
2005218946.tif 000004
【図３】
2005218946.tif 000005
【図４】
2005218946.tif 000006
【図５】
2005218946.tif 000007
【図６】
2005218946.tif 000008
【図７】
2005218946.tif 000009
【図８】
2005218946.tif 000010
【図９】
2005218946.tif 000011
【図１０】
2005218946.tif 000012
【図１１】
2005218946.tif 000013
【図１２】
2005218946.tif 000014
【図１３】
2005218946.tif 000015
【図１４】
2005218946.tif 000016
【図１５】
2005218946.tif 000017
【図１６】
2005218946.tif 000018